(57)【特許請求の範囲】
【請求項１】
下框に収容される戸車であって、
ローラーと、
前記ローラーを回動自在に支持するフレームと、
前記フレームに螺合され、回転されることにより当該フレームからの突出量が変化する移動突出部と、
を有し、
前記下框内において前記移動突出部が回転されて、当該下框を形成する上面部と下面部とを互いに離れる方向に押圧することにより前記下框に保持されることを特徴とする戸車。
【請求項２】
請求項１に記載の戸車であって、
前記移動突出部は、当該戸車が保持された状態で、前記下面部に当接されるとともに、
前記下面部に設けられ前記下框内と外部とを連通し前記ローラーが突出する連通部と対向していることを特徴とする戸車。
【請求項３】
請求項２に記載の戸車であって、
前記フレームには、見込み方向における両側に向かって突出し、突出量を変更可能な双方向突出部が設けられていることを特徴とする戸車。
【請求項４】
請求項３に記載の戸車であって、
前記双方向突出部の前記突出量を双方向共に変更可能な操作部を有し、
前記操作部は、前記下面部に設けられ前記下框内と外部とを連通し前記ローラーが突出する連通部と対向していることを特徴とする戸車。
【請求項５】
請求項３または請求項４に記載の戸車であって、
前記双方向突出部は、２枚の板材が互いに対面して前記下框の長手方向に重なる状態から、見込み方向において互いに反対方向に各々突出することを特徴とする戸車。
【請求項６】
請求項１乃至請求項５のいずれかに記載の戸車であって、
前記フレームは、前記移動突出部の突出方向と反対方向に向かって突出し、突出量を変更可能な第２の移動突出部を有することを特徴とする戸車。
【請求項７】
請求項１乃至請求項６のいずれかに記載の戸車であって、
前記下框の長手方向に沿って操作されることにより前記ローラーの上下方向の位置を調節可能なローラー高さ調節機構を備えていることを特徴とする戸車。
【請求項８】
請求項７に記載の戸車であって、
前記フレームは、見込み方向に沿う回動軸にて前記ローラーを回動自在に保持する内フレームと、
見込み方向に沿う揺動軸にて前記内フレームを揺動自在に保持する外フレームと、を有し、
前記ローラー高さ調節機構は、前記下框の長手方向に沿って操作されることにより、前記内フレームを揺動させて前記ローラーの上下方向の位置を調節可能なローラー調節操作部を備えていることを特徴とする戸車。
【請求項９】
下框に収容される戸車であって、
ローラーと、
前記ローラーを回動自在に支持するフレームと、
前記フレームに螺合され、回転されることにより当該フレームからの突出量が変化する移動突出部と、
前記下框の長手方向において前記ローラーと並べて設けられ、前記移動突出部の突出方向と反対方向に向かって突出し、突出量を変更可能な第２の移動突出部と、
前記下框の長手方向に沿って操作されることにより前記ローラーの上下方向の位置を調節可能なローラー調節操作部を備えたローラー高さ調節機構と、
を有し、
前記フレームは、見込み方向に沿う回動軸にて前記ローラーを回動自在に保持する内フレームと、
見込み方向に沿う揺動軸にて前記内フレームを揺動自在に保持する外フレームと、
を有し、
前記下框内において前記移動突出部が回転されて、当該下框を形成する上面部と下面部とを互いに離れる方向に押圧することにより前記下框に保持され、
前記ローラー調節操作部は、前記第２の移動突出部を回避する回避部材を介して前記内フレームを揺動させることを特徴とする戸車  。
【請求項１０】
請求項８または請求項９に記載の戸車であって、
前記ローラー高さ調節機構は、前記ローラー調節操作部の上下方向の位置を調節する操作部高さ調節部を有することを特徴とする戸車。
【請求項１１】
請求項１乃至請求項１０のいずれかに記載の戸車を備えている障子を有することを特徴とする建具。
【発明の詳細な説明】
【技術分野】
【０００１】
本発明は、下框内に設けられる戸車及び建具に関する。
【背景技術】
【０００２】
戸車は、戸体の重量を支持しつつ戸体を移動させるため、戸体を構成する部材の中でも損傷しやすく、破損した場合には交換を余儀なくされる場合がある。戸車が設けられている戸体は様々な種類があり、戸車を取り付ける部位寸法や形状も様々である。このため、汎用性を備えて容易に取り付けられるように、ねじの回動により左右に拡開されて、サッシュ等の取付孔内壁を圧接する左右二枚一組の拡開部材が、車輪が装備された戸車ケースに設けられた戸車が知られている（例えば、特許文献１参照）。
【０００３】
拡開部材は、車輪の軸と直交する方向に当該車輪を挟んで両側に設けられており、金属板等にて角形状に形成され互いに対称形状をなす二枚一組の拡開部材が互いの一端辺付近を同心上に軸支して左右に拡開可能に形成されている。両拡開部材は、互いに対向する内側に湾曲して突出する押動用凸部が設けられており、拡開部材の軸支されていない端部側には、ねじの回動により押動用凸部間に進入する押動部材が設けられており、押動部材が押動用凸部間に進入して拡開部材を左右方向に押し広げて取付孔内壁に圧接するように構成されている。また、両拡開部材の軸支側の端辺とは反対側となる拡開側の端辺には、先端が尖り外方側へ突出するように折曲形成された爪部が設けられており、左右に拡開させた際に爪部が取付孔の内壁に喰い込むように圧接し、戸車ケースを取付孔の任意の位置に固定するように構成されている。
【先行技術文献】
【特許文献】
【０００４】
【特許文献１】実公昭６２−１９８０７号公報
【発明の概要】
【発明が解決しようとする課題】
【０００５】
上記のような戸車は、両拡開部材を左右に拡開させ、爪部を取付孔の内壁に喰い込むように圧接させて、戸車ケースを取付孔の任意の位置に固定しているので、取付孔の変形等により拡開部材が取付孔の内壁を圧接する力が低下すると戸車を保持することができなくなる。保持できなくなった戸車を交換するために、例えば戸体をけんどん式にて外すべく戸体を持ち上げた場合には、保持できなくなった戸車が降下して車輪がレールから外れないため戸体を外し難いという課題がある。
【０００６】
本発明は、かかる課題に鑑みてなされたものであり、その目的とするところは、取り付けられた位置から降下し難い戸車及びこの戸車が設けられている障子を備えている建具を提供することにある。
【課題を解決するための手段】
【０００７】
かかる目的を達成するために本発明の戸車は、下框に収容される戸車であって、ローラーと、前記ローラーを回動自在に支持するフレームと、前記フレームに螺合され、回転されることにより当該フレームからの突出量が変化する移動突出部と、を有し、前記下框内において前記移動突出部が回転されて、当該下框を形成する上面部と下面部とを互いに離れる方向に押圧することにより前記下框に保持されることを特徴とする戸車である。
【０００８】
このような戸車によれば、ローラーを支持するフレームからの突出量が変化する移動突出部が回転されて、当該戸車が収容される下框の上面部と下面部とを互いに離れる方向に押圧して下框に保持されるので、フレームは下框が有する下面部上に支持されている。このため、例え下框に変形が生じたとしても戸車が降下することを防止することが可能である。このため、取り付けられた位置から降下し難い戸車を提供することが可能である。
【０００９】
また、移動突出部のフレームからの突出量を小さくした状態で戸車を下框内に挿入し、収容される下框内にて移動突出部の突出量を大きくすることにより、下框が有する上面部と下面部とを互いに離れる方向に押圧させて上面部と下面部との間で突っ張ることができるので、容易に取り付けることが可能である。
【００１０】
かかる戸車であって、前記移動突出部は、当該戸車が保持された状態で、前記下面部に当接されるとともに、前記下面部に設けられ前記下框内と外部とを連通し前記ローラーが突出する連通部と対向していることが望ましい。
このような戸車によれば、移動突出部は戸車が保持された状態で下框の下面部に当接されるので、戸車は移動突出部を介して下面部に支持される。このため、戸車の降下をより確実に防止することが可能である。また、移動突出部は、戸車が保持された状態で下框内と外部とを連通しローラーが突出する連通部と対向しているので、連通部側から回転させることが可能である。このため、連通部から移動突出部を回転させて容易に取り付けることが可能である。
【００１１】
かかる戸車であって、前記フレームには、見込み方向における両側に向かって突出し、突出量を変更可能な双方向突出部が設けられていることが望ましい。
このような戸車によれば、双方向突出部の突出量を変更することにより下框の側部とフレームとの間隔を変更することができるので、ローラーが支持される見込み方向の位置を容易に変更することが可能である。このため、見込み方向の位置の調整が容易な戸車を提供することが可能である。
【００１２】
かかる戸車であって、前記双方向突出部の前記突出量を双方向共に変更可能な操作部を有し、前記操作部は、前記下面部に設けられ前記下框内と外部とを連通し前記ローラーが突出する連通部と対向していることが望ましい。
このような戸車によれば、双方向突出部の操作部が、下框の下面部に設けられてローラーが突出する連通部と対向しているので、連通部から操作することにより、見込み方向における両側に向かって双方向突出部を双方向ともに突出させることが可能である。
【００１３】
かかる戸車であって、前記双方向突出部は、２枚の板材が互いに対面して前記下框の長手方向に重なる状態から、見込み方向において互いに反対方向に各々突出することが望ましい。
このような戸車によれば、双方向突出部は、２枚の板材が互いに対面して下框の長手方向に重なる状態で配置されているので、下框の長手方向における双方向突出部の幅をより小さくすることが可能である。このため、戸車における長手方向の寸法を小さくすることが可能である。
【００１４】
かかる戸車であって、前記フレームは、前記移動突出部の突出方向と反対方向に向かって突出し、突出量を変更可能な第２の移動突出部を有することが望ましい。
このような戸車によれば、フレームは、第２の移動突出部の突出量を変更することにより下框が有する上面部とフレームとの間隔を変更することができるので、戸車が配置される高さを容易に変更することが可能である。このため支持位置の高さ調整が容易な戸車を提供することが可能である。
【００１５】
かかる戸車であって、前記下框の長手方向に沿って操作されることにより前記ローラーの上下方向の位置を調節可能なローラー高さ調節機構を備えていることが望ましい。
このような戸車によれば、下框の長手方向に沿って操作することによりローラーの上下方向の位置を調節できるので、本戸車を備えた障子はレール上に載置した状態で高さを調節することが可能である。
【００１６】
かかる戸車であって、前記フレームは、見込み方向に沿う回動軸にて前記ローラーを回動自在に保持する内フレームと、見込み方向に沿う揺動軸にて前記内フレームを揺動自在に保持する外フレームと、を有し、前記ローラー高さ調節機構は、前記下框の長手方向に沿って操作されることにより、前記内フレームを揺動させて前記ローラーの上下方向の位置を調節可能なローラー調節操作部を備えていることが望ましい。
このような戸車によれば、ローラー調節操作部を操作することにより内フレームを揺動させて容易にローラーの上下方向の位置を調節することが可能である。
【００１７】
また、下框に収容される戸車であって、ローラーと、前記ローラーを回動自在に支持するフレームと、前記フレームに螺合され、回転されることにより当該フレームからの突出量が変化する移動突出部と、前記下框の長手方向において前記ローラーと並べて設けられ、前記移動突出部の突出方向と反対方向に向かって突出し、突出量を変更可能な第２の移動突出部と、前記下框の長手方向に沿って操作されることにより前記ローラーの上下方向の位置を調節可能なローラー調節操作部を備えたローラー高さ調節機構と、を有し、前記フレームは、見込み方向に沿う回動軸にて前記ローラーを回動自在に保持する内フレームと、見込み方向に沿う揺動軸にて前記内フレームを揺動自在に保持する外フレームと、を有し、前記下框内において前記移動突出部が回転されて、当該下框を形成する上面部と下面部とを互いに離れる方向に押圧することにより前記下框に保持され、前記ローラー調節操作部は、前記第２の移動突出部を回避する回避部材を介して前記内フレームを揺動させることを特徴とする戸車である。
【００１８】
このような戸車によれば、ローラー調節操作部が、移動突出部を回避する回避部材を介して内フレームを揺動させるので、第２の移動突出部を備えた戸車であってもローラーの高さを容易に調節することが可能である。
【００１９】
かかる戸車であって、前記ローラー高さ調節機構は、前記ローラー調節操作部の上下方向の位置を調節する操作部高さ調節部を有することが望ましい。
このような戸車によれば、ローラー調節操作部の高さを変更することができるので、汎用性が高い戸車を提供することが可能である。
また、前記戸車を備えている障子を有することを特徴とする建具も実現可能である。
【発明の効果】
【００２０】
本発明によれば、取り付けられた位置から降下し難い戸車及び建具を提供することが可能である。
【図面の簡単な説明】
【００２１】
【図１】本実施形態に係る建具の内観姿図である。
【図２】本実施形態に係る戸車を室内側から見た縦断面図である。
【図３】本実施形態に係る戸車を下框の長手方向に沿って見た縦断面図である。
【図４】下框に装着された戸車を下方から見た図である。
【図５】見込み位置調整機構の縦断面図である。
【図６】見込み位置調整機構のスライド板が突出していない状態を示す図であり、図６（ａ）は、見込み位置調整機構の上下案内ブロックを外した状態を操作ビス側から見た図、図６（ｂ）は、図６（ａ）におけるＡ−Ａ断面図、図６（ｃ）は、図６（ａ）の状態から上下動部材を外した状態を示す図である。
【図７】見込み位置調整機構のスライド板が突出している状態を示す図であり、図７（ａ）は、見込み位置調整機構の上下案内ブロックを外した状態を操作ビス側から見た図、図７（ｂ）は、図７（ａ）におけるＢ−Ｂ断面図、図７（ｃ）は、図７（ａ）の状態から上下動部材を外した状態を示す図である。
【図８】図８（ａ）は、保持ビスおよび高さ調整ビスの変形例を示す図であり、図８（ｂ）は、図８（ａ）におけるＣ矢視図である。
【図９】図９（ａ）は、頭部が楕円形状の保持ビスを見込み方向の幅が狭い下框に使用した状態を示す図であり、図９（ｂ）は、頭部が楕円形状の保持ビスを見込み方向の幅が広い下框に使用した状態を示す図である。
【図１０】ローラー高さ調節機構を備えた戸車を示す斜視図である。
【図１１】ローラー高さ調節機構を備えた戸車の構成を示す分解斜視図である。
【図１２】ローラー高さ調節機構を備えた戸車の縦断面図である。
【図１３】ローラー高さ調節機構による動作を示す図である。
【図１４】操作部高さ調節機構による動作を示す図である。
【発明を実施するための形態】
【００２２】
以下、本発明の一実施形態に係る戸車７及びこの戸車７を備えた障子３を有する建具１について図面を参照して説明する。
本実施形態の建具１は、図１に示すように建物等に設けられる枠体２に装着される引き違い障子３を備えた建具１である。
【００２３】
以下の説明においては、建物等に取り付けられた状態の建具１を室内側から見たときに、上下となる方向を上下方向、左右となり障子３の下框６の長手方向を左右方向または長手方向、室内外方向である奥行き方向を見込み方向として示す。建具１の各部位であっても、また、建具１を構成する各部材については単体の状態であっても、建物等に取り付けられた状態にて上下方向、左右方向または長手方向、奥行き方向となる方向にて方向を特定して説明する。
【００２４】
枠体２に装着された２枚の障子３は、いずれもガラス４を囲むように矩形状の框体５が設けられており、左右方向における両下端部側にそれぞれ戸車７が設けられている。
【００２５】
図２〜図４に示すように、下框６は押出成形部材であり、断面がほぼ矩形状をなす中空部６ａが長手方向に沿って連通するように設けられており、戸車７は中空部６ａに収容されている。中空部６ａを形成する上面部６ｂには長手方向に沿って框材同士を接合するためのビス螺合部６ｃが設けられており、下面部６ｄには、長手方向における両端部に中空部６ａと外部とを連通し、戸車７が有するローラー８が中空部６ａから突出する連通部となる切り欠き部６ｅが設けられている。
【００２６】
切り欠き部６ｅは、ローラー８の見込み方向の幅より広く、中空部６ａの見込み方向の幅より狭い幅をなし、下面部６ｄの長手方向における端縁側が開放されて形成されている。このため、切り欠き部６ｅは、見込み方向における両側に下面部６ｄを残して中央に形成されている。中空部６ａを形成する側部６ｆは、見込み方向に対向する平面状をなしている。
【００２７】
戸車７は、障子３を移動可能に支持するローラー８と、ローラー８を回動自在に支持するフレーム９と、下框６の長手方向においてローラー８の両側にそれぞれ設けられた見込み位置調整機構１０及び第２の移動突出部としての高さ調整ビス２０と、当該戸車を固定するための移動突出部としての保持ビス２５と、を有している。
【００２８】
フレーム９は、ローラー８が回動自在に支持される内フレーム９１と、内フレーム９１の外側に設けられ内フレーム９１が揺動自在に係合される外フレーム９２と、外フレーム９２にかしめられ後述する保持ビス２５が螺合される螺合片９３とを有している。
【００２９】
内フレーム９１は、見込み方向において互いに対向する２つの内壁９１ａと、２つの内壁９１ａの上端部間を繋ぐ内連結部９１ｂとを有し、断面が、下端側が開放されたコ字状をなしている。内フレーム９１の長手方向における中央近傍であって下端側にローラー８の回転軸が支持されている。また、内フレーム９１は、長手方向における一方の端部側に外フレーム９２と係合する揺動軸９１ｃと、内連結部９１ｂの他方の端部側に螺合され回転することにより内フレーム９１に対して上下方向に出没して内フレーム９１を揺動させるための揺動ビス９１ｄと、外フレーム９２と係合して揺動範囲を規制する揺動規制部９１ｅと、を有している。
【００３０】
外フレーム９２は、見込み方向において互いに対向し、内フレーム９１の内壁９１ａ間の間隔より僅かに広い間隔を隔てた２つの外壁９２ａと、２つの外壁９２ａの上端部間を繋ぐ外連結部９２ｂとを有し、断面が、下端側が開放されたコ字状をなしている。外フレーム９２の内側に内フレーム９１が見込み方向に僅かな隙間を介して重なるように収容されている。そして、先端が外フレーム９２の外連結部９２ｂに当接された揺動ビス９１ｄを回転させて揺動ビス９１ｄの突出量を変更することにより内フレーム９１が揺動し、ローラー８が外フレーム９２に対して上下方向に移動するように構成されている。この揺動ビス９１ｄは、障子３を枠体２に装着した際に傾き等を補正するために操作される。
【００３１】
外フレーム９２は、内フレーム９１より長手方向の両側に長く形成されており、長手方向において内フレーム９１より外側にそれぞれ見込み位置調整機構１０及び高さ調整ビス２０が設けられている。
【００３２】
見込み位置調整機構１０は、図５に示すように、下方から操作される操作ビス１１と、操作ビス１１により上下方向に移動され長手方向に突出する係合ピン１２ａを有する上下動部材１２と、係合ピン１２ａと係合し係合ピン１２ａの上下動により見込み方向において互いに反対側に突出する２枚の双方向突出部としてのスライド板１３と、上下動部材１２の移動を案内する上下動案内ブロック１４と、２枚のスライド部材の移動を案内するスライド案内ブロック１５と、上下動案内ブロック１４とスライド案内ブロック１５とを接合する接合ピン１６と、を有している。
【００３３】
上下動部材１２は、断面がＬ字状をなす部材であり、ほぼ水平に配置され操作ビス１１が螺合される螺合板部１２ｂと、ほぼ鉛直方向に沿って配置され上下動案内ブロック１４により見込み方向の移動が規制される規制板部１２ｃとを有している。係合ピン１２ａは、規制板部１２ｃの上端部側に、螺合板部１２ｂと反対側により長く突出するように設けられている。
【００３４】
２枚のスライド板１３は平板状の部材であり、図６、図７に示すように、取り付けられた状態で見込み方向における中央から鉛直方向に対して４５度の角度で形成された長孔１３ａをそれぞれ有している。長孔１３ａの幅は、挿入される係合ピン１２ａの直径より僅かに広く形成されている。２枚のスライド板１３は、同一の部材が表裏を逆にして用いることにより、各々に設けられた長孔１３ａの傾斜方向が互いに異なるよう配置されて長手方向に重ねられる。
【００３５】
スライド案内ブロック１５は、上下方向の幅がスライド板１３の上下方向の幅より僅かに広く、見込み方向に沿って水平に設けられたスライド溝１５ａを有しており、２枚のスライド板１３が互いの長孔１３ａの傾斜方向が異なるように互いに対面し長手方向に重ねられてスライド溝１５ａに配置される。２枚のスライド板１３は、スライド溝１５ａの見込み方向の幅とほぼ同じ幅を有しており、それぞれスライド溝１５ａに沿って水平方向に移動可能である。本実施形態では、各々の長孔１３ａは、スライド溝１５ａの中央で重なり各々中央から外側に向かって低くなるように傾斜している。
【００３６】
見込み位置調整機構１０は、上下動不能に係合された操作ビス１１が螺合板部１２ｂに螺合された上下動部材１２を備えた上下案内ブロック１４と、スライド溝１５ａに２枚のスライド板１３が配置されたスライド案内ブロック１５とが、上下動部材１２に設けられた係合ピン１２ａが２枚のスライド板１３の中央にて長孔１３ａが重なっている部位に挿通された状態で接合ピン１６により接合されている。このとき、２枚のスライド板１３は、スライド案内ブロック１５から見込み方向に突出しないように構成されている。
【００３７】
見込み位置調整機構１０が、外フレーム９２内に装着された状態で、操作ビス１１を回転させると、操作ビス１１の回転により上下動部材１２とともに係合ピン１２ａも降下する。このとき、係合ピン１２ａは、長孔１３ａの下側の縁を下方に押圧しながら移動するため、スライド板１３はスライド溝１５ａに案内されてスライド案内ブロック１５から見込み方向に突出するようにスライドする。２枚のスライド板１３は、各々が有する長孔１３ａの傾斜方向が相違するため、互いに対面して長手方向に重なる状態から見込み方向において互いに反対方向に突出する。また、２つの長孔１３ａの傾斜角度は同じなので、２つのスライド板１３は互いに反対方向に同量ずつ同時に突出する。突出した２つのスライド板１３の先端が、中空部６ａを形成する側部６ｆにほぼ同時に当接することにより、戸車７は下框６の見込み方向における中央に位置決めされる。
【００３８】
高さ調整ビス２０は、頭部２０ａが平坦に形成され直径が中空部６ａを形成し対向する側部６ｆの間隔より僅かに短い２本の高さ調整ビス２０が外フレーム９２の外連結部９２ｂに上方から螺合されて形成されている。２本の高さ調整ビス２０は、長手方向においてローラー８の両側にそれぞれ１本ずつ設けられており、回転させることにより外連結部９２ｂからの突出量、すなわち外連結部９２ｂから頭部２０ａ先端までの距離を変更可能である。戸車７は、２本の高さ調整ビス２０の突出量を適宜調整されて中空部６ａ内に挿入され、高さ調整ビス２０の頭部２０ａが中空部６ａを形成する上面部６ｂに当接することにより戸車７の高さが決定される。
【００３９】
保持ビス２５は、高さ調整ビス２０と同形状であり、外フレーム９２にかしめられた螺合片９３に下方から螺合されている。より具体的には、外フレーム９２の２つの外壁９２ａのうちの一方に形成された開口９２ｃから挿入され、他方に形成された取付孔に挿入された端部が取付孔から突出されてかしめられた螺合片９３に保持ビス２５が螺合されている。保持ビス２５は、回転させることにより外フレーム９２の下縁からの突出量、すなわち外フレーム９２の下縁から頭部２５ａの先端までの距離を変更可能である。
【００４０】
戸車７の取付方法は、まず２本の高さ調整ビス２０の突出量を適宜調節し、かつ、高さ調整ビス２０の頭部２０ａと保持ビス２５の頭部２５ａとの距離が、中空部６ａを形成する上面部６ｂと下面部６ｄとの間隔より短くなるように保持ビス２５の突出量を調整した状態で、上下を反転した障子３の下框６の中空部６ａ内に挿入する。このとき、戸車７を、２本の高さ調整ビス２０の頭部２０ａを反転した障子３の下框６の上面部６ｂに当接させて載置する。戸車７が上面部６ｂに載置された状態で、揺動ビス９１ｄ、２つの見込み位置調整機構１０の操作ビス１１、保持ビス２５を下面部６ｄに設けられた切り欠き部６ｅから操作可能な位置、すなわち、戸車７が保持された状態で、操作ビス１１の頭部１１ａおよび保持ビス２５の頭部２５ａが切り欠き部６ｅと対向する位置に戸車７を配置する。ここで、操作ビス１１の頭部１１ａが操作ビス１１の操作部に相当し、保持ビス２５の頭部２５ａが保持ビス２５の操作部に相当する。
【００４１】
次に、挿入された戸車７の２つの操作ビス１１を、切り欠き部６ｅを挿通させたドライバー等の工具によりそれぞれ回転させて２枚のスライド板１３を見込み方向に突出させ、その先端を側部６ｆに当接させて戸車７の見込み方向の移動を規制する。これにより、戸車７が見込み方向において位置決めされる。
【００４２】
次に、戸車７の保持ビス２５を、切り欠き部６ｅを挿通させたドライバー等の工具により回転させて保持ビス２５の突出量を大きくする。これにより、保持ビス２５の頭部２５ａを切り欠き部６ｅの見込み方向における両側に設けられている下面部６ｄに当接させ、さらに回転させることにより２本の高さ調整ビス２０と保持ビス２５とが互いに反対方向に下框６の上面部６ｂと下面部６ｄとを押圧して戸車７が保持される。
【００４３】
本実施形態の戸車７によれば、ローラー８を支持するフレーム９の外フレーム９２からの突出量が変化する保持ビス２５が回転されて、中空部６ａの上面部６ｂと下面部６ｄとを互いに離れる方向に押圧して上面部６ｂと下面部６ｄとの間で突っ張ることにより下框６に保持されるので、フレーム９は中空部６ａの下面部６ｄ上に支持される。このため、例え中空部６ａを形成する部位に変形が生じたとしても、戸車７が降下することを防止することが可能である。また、保持ビス２５の外フレーム９２からの突出量を小さくして戸車７を中空部６ａ内に挿入し、中空部６ａ内にて保持ビス２５の突出量を大きくして中空部６ａを形成する上面部６ｂと下面部６ｄとを互いに離れる方向に押圧させて容易に取り付けることが可能である。このため、取り付けられた位置から降下し難い戸車７を提供することが可能である。
【００４４】
また、保持ビス２５は、中空部６ａ内と外部とを連通しローラー８が突出する切り欠き部６ｅと対向しているので、切り欠き部６ｅから保持ビス２５を回転させて容易に取り付けることが可能である。
【００４５】
また、フレーム９には、見込み方向における両側に向かって突出し、突出量を変更可能なスライド板１３を備えた見込み位置調整機構１０が設けられているので、２枚のスライド板１３の突出量を変更することにより中空部６ａを形成する側部６ｆと外フレーム９２との間隔を変更することができる。このため、見込み方向におけるローラー８の位置を容易に変更することが可能であり、見込み方向の位置の調整が容易な戸車７を提供することが可能である。
【００４６】
また、操作ビス１１を操作することにより、見込み方向における両側に向かって双方向に突出する２枚のスライド板１３をほぼ同量ずつ突出させることが可能なので、戸車７を見付け方向において下框６の中央に容易に配置することが可能である。
【００４７】
また、見込み位置調整機構１０の操作ビス１１の頭部１１ａが、下框６の下面部６ｄに設けられてローラー８が突出する切り欠き部６ｅと対向しているので、切り欠き部６ｅから操作することにより、見込み方向における両側に向かって２枚のスライド板１３を双方向ともに突出させることが可能である。また、操作ビス１１は、保持ビス２５と同様に切り欠き部６ｅから回転させることが可能なので、保持ビス２５および操作ビス１１の操作の際に障子３の姿勢を変更する、或いは、作業者が移動することなくより容易に調整することが可能である。
【００４８】
また、見込み位置調整機構１０は、２枚の板材でなるスライド板１３が互いに対面して下框６の長手方向に重なる状態で配置されているので、下框６の長手方向における見込み位置調整機構１０の幅をより小さくすることが可能である。このため、戸車７における長手方向の寸法を小さくすることが可能である。これにより、切り欠き部６ｅの長手寸法がより小さな下框への取り付けが可能となる。
【００４９】
また、フレーム９は、高さ調整ビス２０の突出量を変更することにより中空部６ａを形成する上面部６ｂと外フレーム９２との間隔を変更することができるので、ローラー８が支持される高さを容易に変更することが可能である。このため障子３の支持位置の高さ調整が容易な戸車７を提供することが可能である。
【００５０】
また、戸車７は、高さ調整ビス２０により高さを、また、見込み位置調整機構１０により見込み方向の位置を、それぞれ調整することが可能なので、互いに寸法の異なる下框であっても容易に位置を調整して装着することが可能である。また、戸車７は、下框６の小口から中空部６ａ内に挿入し保持ビス２５を下框６の下面部６ｄに設けられた切り欠き部６ｅから操作することが可能なので、下框６内に保持させることはもとより取り外すことも可能である。このため、戸車７が損傷した際には、容易に交換することが可能である。
【００５１】
また、上記戸車７を備えた障子３は、戸車７の位置の調整および取り付けが容易であり、更に交換も容易である。特に、戸車７は、保持ビス２５により下框６の下面部６ｄに支持されているので、けんどん式にて取り付けられる障子３を取り外す際に障子３を上方に持ち上げたときであっても戸車７が下方に移動しないので、ローラー８を確実にレールから離して容易に障子３を取り外すことが可能である。
また、戸車７が保持された状態で、上面部６ｂと下面部６ｄとの間で突っ張っている保持ビス２５および２本の高さ調整ビス２０は、保持ビス２５が下框６の長手方向において２本の高さ調整ビス２０の間に位置している。このため、下框６内において、戸車７の、見込み方向に沿う軸周りのいずれの方向の回転も規制して、より確実に戸車７を保持することが可能である。
【００５２】
上記実施形態においては、保持ビス２５の頭部２５ａおよび高さ調整ビス２０の頭部２０ａの形状を円形状としたが、例えば図８に示すように楕円形状にするとより汎用性を高めることが可能である。例えば、保持ビス２１は、皿ビス２２と、座繰り孔を備える楕円形状の座板２３と、ナット２４とを有しており、座繰り孔を挿通させた皿ビス２２にナット２４を螺合して締め込むことにより皿ビス２２に座板２３が回転可能に固定されていてもよい。
【００５３】
そして、図９（ａ）に示すように、見込み方向の幅が狭い下框６に使用する場合には、座板２３の長軸側を下框６の長手方向に沿わせて座板２３を配置し、図９（ｂ）に示すように、見込み方向の幅が広い下框６に使用する場合には、座板２３の長軸側を下框６の長手方向と交差させて座板２３を配置する。これにより、互いに寸法が相違する下框６であっても同一の戸車７を取り付けることができるので、より汎用性が向上する。
【００５４】
上記実施形態においては、下框６の下方から上下方向に出没するビスを操作して外フレーム９２に対して内フレーム９１を揺動させることによりローラー８の高さを調節可能に構成されている戸車１を例について説明したが、これに限るものではない。たとえば、下框６の長手方向に沿って操作されることによりローラー８の上下方向の位置を調節可能なローラー高さ調節機構９５を備えていても構わない。
【００５５】
このようなローラー高さ調節機構９５は、図１０、図１１に示すような戸車９４に設けられている。以下の説明において、上記実施形態と同一の構成については図中で同符号を付して示し、その説明については省略する。
【００５６】
戸車９４は、障子３を移動可能に支持するローラー８が回動自在に内フレーム９１に支持されており、内フレーム９１が揺動自在に外フレーム９２に設けられており、下框６の長手方向、すなわち左右方向におけるローラー８の両側にそれぞれ設けられた第２の移動突出部としての高さ調整ビス２０と、当該戸車９４を固定するための移動突出部としての保持ビス２５と、を有している。
【００５７】
また、戸車９４は、ステンレス製の薄板により形成され、外フレーム９２を形成する外壁９２ａ及び外連結部９２ｂに沿って設けられ、外フレーム９２に係止される見込み位置規制部材９６を備えている。見込み位置規制部材９６は、各外壁９２ａに沿う両板部９６ａから見込み方向において互いに相反する方向に各々曲げ起こされた規制片９６ｂが設けられており、下框６内に取り付けられる際に、規制片９６ｂが下框６の見込み方向に対向する壁部により圧縮されることにより、戸車９４の見込み方向の位置が規制されるように構成されている。
【００５８】
ローラー高さ調節機構９５は、ローラー８と左右方向に並べて設けられている一方の高さ調整ビス２０、ここではローラー８の左側に位置する高さ調整ビス２０側に設けられており、左の高さ調整ビス２０に対してローラー８と反対側に設けられている。
【００５９】
ローラー高さ調節機構９５は、内フレーム９１に回動自在に支持されたローラー８を備えたローラーユニット９０と、外フレーム９２の内側に係止された合成樹脂製の基台９７と、基台９７に設けられたガイドに案内されてスライド可能なスライド部材９８と、基台９７に回転自在に係合され頭部が平坦な高さ調節ビス１００に螺合されて上下方向に移動可能な位置調節部材９９と、を有している。
【００６０】
ローラーユニット９０は、内フレーム９１の互いに対向する内壁９１ａ間に架け渡され一方の内壁９１ａにかしめ固定された回動軸９０ａにローラー８が回動自在に支持されている。内フレーム９１は、２つの内壁９１ａから各々見込み方向において互いに相反する方向に突出する揺動軸９１ｃが外フレーム９２に揺動自在に支持されている。図１２に示すように、揺動軸９１ｃは、回動軸９０ａより僅かに低く、かつ回動軸９０ａより内連結部９１ｂ側に配置されている。また、内フレーム９１の内壁９１ａおよび内連結部９１ｂは、回動軸９０ａより高い位置まで設けられている。尚、図１２においては見込み位置規制部材９６を省略して示している。
【００６１】
基台９７は、外フレーム９２内に係止されたときに外フレーム９２より下方に突出して戸車９４が支持されるレールのガイドをなすレールガイド部９７ａと、レールガイド部９７ａと繋がって上方に延出され外連結部９２ｂの下面に当接される下面当接部９７ｂと、下面当接部９７ｂの右側となるローラー８側に突出し上端９７ｃが下面当接部９７ｂの上面より低い段部をなす第１段部９７ｄと、下面当接部９７ｂに対して第１段部９７ｄと反対側に突出し上端９７ｅが第１段部９７ｄの上端９７ｃより低い段部をなす第２段部９７ｆと、を有している。
【００６２】
下面当接部９７ｂは、第１段部９７ｄの上端９７ｃより上方に突出する部位に、上下方向に長く左右方向に貫通する長孔９７ｇが設けられている。
【００６３】
第２段部９７ｆは、レールガイド部９７ａより左側に突出している部位の左側の端部から下面当接部９７ｂ側に窪む凹部９７ｈと、水平に設けられたスリット９７ｉと、が設けられている。このスリット９７ｉには、凹部９７ｈに上下方向に沿ってスリット９７ｉより上方に配置される高さ調節ビス１００の頭部が挿入され、高さ調節ビス１００は上下方向に移動することなく回転可能に設けられている。
【００６４】
位置調節部材９９は、縦断面がＬ字状をなす板状の部材であり、Ｌ字を構成する一方の板部をなす水平板部９９ａが第２段部９７ｆの上端９７ｅと対面し、他方の板部をなす鉛直板部９９ｂが下面当接部９７ｂの左側の面と対向させて配置される。水平板部９９ａには、凹部９７ｈに挿通された高さ調節ビス１００が螺合されており、鉛直板部９９ｂには、回転させて左右方向に挿抜可能な揺動ビス１０１が螺合されている。鉛直板部９９ｂに螺合されている揺動ビス１０１は、下面当接部９７ｂに設けられた長孔９７ｇに挿通されてローラー８側に貫通し第１段部９７ｄ上に突出可能に設けられている。
【００６５】
スライド部材９８は、基台９７が外フレーム９２に係止された状態で、ガイドをなす第１段部９７ｄの上端９７ｃと外連結部９２ｂとの間を移動可能に設けられている。スライド部材９８は、水平断面がローラー８側に向かって開放されたＵ字状をなしており、図１３に示すように、第１段部９７ｄ上に突出する揺動ビス１０１によりローラーユニット９０側に押圧されてスライドする。スライドしたスライド部材９８が内フレーム９１の内連結部９１ｂにおいて回動軸９０ａより上側を押圧することによりローラーユニット９０が揺動してローラー８が下方に移動する。このとき、スライド部材９８は、揺動ビス１０１に押されてローラーユニット９０の内フレーム９１を押圧するが、内フレーム９１は揺動しつつスライド部材９８との接触角度が変化する。このため、スライド部材９８の、内フレーム９１を押圧する先端部は、揺動して角度が変化する内フレーム９１に当接し続けるように湾曲している。
【００６６】
ローラーユニット９０と基台９７との間には、左側の高さ調整ビス２０が位置しているが、高さ調整ビス２０はＵ字状をなすスライド部材９８の内側に位置しているので、揺動ビス１０１により押圧された際にはスライド部材９８は高さ調整ビス２０と干渉することなくローラーユニット９０を揺動させることが可能である。ここで、揺動ビス１０１が下框６の長手方向に沿って操作されるローラー調節操作部に相当し、スライド部材９８が第２の移動突出部としての高さ調整ビス２０を回避して内フレーム９１を揺動させる回避部材に相当する。
【００６７】
また、揺動ビス１０１は、位置調節部材９９に螺合されており、位置調節部材９９は、上下方向に移動不能に回転する高さ調節ビス１００に螺合されているので、図１４に示すように、高さ調節ビス１００を回転させることにより位置調節部材９９とともに上下方向に移動する。このため、ローラー８の高さを調節すべくローラーユニット９０を揺動させるために、左側から回転させる揺動ビス１０１の上下方向の位置は高さ調節ビス１００により調節することが可能である。
【００６８】
ローラー高さ調節機構９５を備えた戸車９４によれば、下框６の長手方向に沿って操作することによりローラー８の上下方向の位置を調節できるので、本戸車９４を備えた障子３はレール上に載置した状態で高さを容易に調節することが可能である。ここで、基台９７、高さ調節ビス１００、位置調節部材９９が操作部高さ調整部に相当する。
【００６９】
また、揺動ビス１０１を回転させることにより内フレーム９１を揺動させて容易にローラー８の上下方向の位置を調節することが可能である。
【００７０】
また、揺動ビス１０１はスライド部材９８を介して内フレーム９１を揺動させるので、高さ調整ビス２０を備えた戸車９４であってもスライド部材９８により高さ調整ビス２０を回避してローラー８の高さを容易に調節することが可能である。
また、位置調節部材９９により揺動ビス１０１の高さを変更することができるので、汎用性が高い戸車９４を提供することが可能である。
【００７１】
上記実施形態においては、下框６の中空部６ａからローラー８が突出する連通部を切り欠き部６ｅとしたが、これに限らず、例えば揺動ビス９１ｄのようなローラー８を上下に移動できる機構を有していれば連通部を長孔とすることが可能である。
【００７２】
上記実施形態においては、障子として引き違い障子３を例に挙げて説明したが、これに限らず、上記戸車７を備えた引き戸障子であれば構わず、また建具としても、上記戸車７を備えた引き戸障子を有する建具であれば構わない。
【００７３】
上記実施形態においては、戸車７が下框６の中空部６ａ内に収容されている例について説明したが、戸車７が収容される部位は必ずしも中空部でなくとも構わない。例えば、下面部６ｄにローラー８が突出される部位が全長に亘って設けられている下框に戸車７が収容されていても構わない。
【００７４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００７５】
１  建具、３  障子、６  下框、６ａ  中空部、６ｂ  上面部、６ｄ  下面部、
６ｅ  切り欠き部、７  戸車、８  ローラー、９  フレーム、
１０  見込み位置調整機構、１１  操作ビス、１１ａ  操作ビスの頭部、
１３  スライド板、２０  高さ調整ビス、２１  保持ビス、２５  保持ビス、
２５ａ  保持ビスの頭部、９０ａ  回動軸、９１  内フレーム、９１ｃ  揺動軸、
９２  外フレーム、９４  戸車、９５  ローラー高さ調節機構、９７  基台、
９７ｉ  スリット、９８  スライド部材、９９  位置調節部材、
１００  高さ調節ビス、１０１  揺動ビス、
【図１】
0006506159.tif 000002
【図２】
0006506159.tif 000003
【図３】
0006506159.tif 000004
【図４】
0006506159.tif 000005
【図５】
0006506159.tif 000006
【図６】
0006506159.tif 000007
【図７】
0006506159.tif 000008
【図８】
0006506159.tif 000009
【図９】
0006506159.tif 000010
【図１０】
0006506159.tif 000011
【図１１】
0006506159.tif 000012
【図１２】
0006506159.tif 000013
【図１３】
0006506159.tif 000014
【図１４】
0006506159.tif 000015